(57)【要約】【課題】排気ポートや燃焼室の周囲を効果的に冷却することが可能なシリンダヘッドを提供する。【解決手段】シリンダヘッド２０は、下側ウォータジャケット３０と、下側ウォータジャケット３０の上方に配置された上側ウォータジャケットと、下側ウォータジャケット３０と上側ウォータジャケットとを連通する連通路とを有する。下側ウォータジャケット３０は、供給路７０と、供給路７０と連通路とを繋ぐ導出路としてのデッキ通路４０と、ブロックウォータジャケット２５から供給路７０に冷却水を導入する第１導入路８０と、ブロックウォータジャケット２５を経由せずに供給路７０に冷却水を導入する第２導入路８１とを含む。供給路７０には、突条７５が形成されていて、供給路７０の上流側端部において、第１導入路８０の開口は突条７５よりも上側の上壁７４を指向しており、第２導入路８１の開口は突条７５よりも下側の下壁７１を指向している。【選択図】図３
2018080679.tif 000002
【特許請求の範囲】
【請求項１】
下側ウォータジャケットと、
前記下側ウォータジャケットの上方に配置された上側ウォータジャケットと、
前記下側ウォータジャケットと前記上側ウォータジャケットとを連通する連通路と
を有するシリンダヘッドであって、
前記下側ウォータジャケットは、
隣接する排気ポートの間に配置された供給路と、
前記供給路の下流側端部に連結され、該供給路と前記連通路とを繋ぐ導出路と、
前記供給路の上流側端部に連結され、シリンダブロックに形成されたウォータジャケットから前記供給路に冷却水を導入する第１導入路と、
前記供給路の前記上流側端部に連結され、前記シリンダブロックに形成されたウォータジャケットを経由せずに前記供給路に冷却水を導入する第２導入路と
を含み、
前記供給路には、該供給路の側壁から前記供給路内に突出した突条が形成されていて、
前記供給路の前記上流側端部において、前記第１導入路の開口は前記突条よりも上側に配置されている前記供給路の上壁を指向しており、前記第２導入路の開口は前記突条よりも下側に配置されている前記供給路の下壁を指向しているシリンダヘッド。
【発明の詳細な説明】
【技術分野】
【０００１】
本発明は、シリンダヘッドに関する。
【背景技術】
【０００２】
特許文献１に記載されているシリンダヘッドは、下側ウォータジャケット及び上側ウォータジャケットを有している。下側ウォータジャケットと上側ウォータジャケットとは、上下二段に配置されている。シリンダヘッドには、下側ウォータジャケットと上側ウォータジャケットとを連通する連通路も設けられている。下側ウォータジャケットには、シリンダブロックに形成されたウォータジャケットから冷却水が流入する。シリンダヘッドには、内燃機関の各シリンダに対応して複数の排気ポートが形成されている。排気ポートは、各シリンダにおいて対になって形成されている。下側ウォータジャケットに流れた冷却水は、対になって配置された排気ポートの間を流れて連通路に流入し、上側ウォータジャケットに排出される。冷却水が下側ウォータジャケット、連通路、及び上側ウォータジャケットを順に流れることにより、シリンダヘッドが冷却される。
【先行技術文献】
【特許文献】
【０００３】
【特許文献１】特開２００３‐１８４６４４号公報
【発明の概要】
【発明が解決しようとする課題】
【０００４】
シリンダヘッドでは、燃焼熱を受ける燃焼室や高温の排気が流れる排気ポートの周囲が特に高温となりやすい。上記特許文献１に記載されているシリンダヘッドでは、シリンダブロックに形成されたウォータジャケットから供給された冷却水をまず下側ウォータジャケットに供給することで燃焼室や排気ポートの周囲を冷却している。しかしながら、下側ウォータジャケットに供給される冷却水は、シリンダブロックに形成されたウォータジャケットを通過した後の冷却水であることから、排気ポートや燃焼室の周囲を効果的に冷却できるとはいえないこともある。
【課題を解決するための手段】
【０００５】
上記課題を解決するためのシリンダヘッドは、下側ウォータジャケットと、前記下側ウォータジャケットの上方に配置された上側ウォータジャケットと、前記下側ウォータジャケットと前記上側ウォータジャケットとを連通する連通路とを有するシリンダヘッドであって、前記下側ウォータジャケットは、隣接する排気ポートの間に配置された供給路と、前記供給路の下流側端部に連結され、該供給路と前記連通路とを繋ぐ導出路と、前記供給路の上流側端部に連結され、シリンダブロックに形成されたウォータジャケットから前記供給路に冷却水を導入する第１導入路と、前記供給路の前記上流側端部に連結され、前記シリンダブロックに形成されたウォータジャケットを経由せずに前記供給路に冷却水を導入する第２導入路とを含み、前記供給路には、該供給路の側壁から前記供給路内に突出した突条が形成されていて、前記供給路の前記上流側端部において、前記第１導入路の開口は前記突条よりも上側に配置されている前記供給路の上壁を指向しており、前記第２導入路の開口は前記突条よりも下側に配置されている前記供給路の下壁を指向している。
【０００６】
上記構成では、下側ウォータジャケットの供給路において、突条よりも上側の上側領域にシリンダブロックのウォータジャケットを経由した高温の冷却水が供給され、突条よりも下側の下側領域にシリンダブロックのウォータジャケットを経由しない低温の冷却水が供給される。これらの冷却水は突条によって互いに混ざり合うことが抑えられ、温度分布をある程度保った状態で供給路から導出路に流れる。したがって、シリンダヘッドにおいて高温となりやすい燃焼室側の部分、及び排気ポートの周囲には低温の冷却水が供給されることとなり、排気ポートや燃焼室の周囲を効果的に冷却することが可能になる。
【図面の簡単な説明】
【０００７】
【図１】シリンダヘッドの一実施形態の構成を模式的に示す内燃機関の断面図。
【図２】ウォータジャケットの構成を示す斜視図。
【図３】シリンダヘッドの下側ウォータジャケットの一部の構成を示す断面図。
【図４】供給路の構成を模式的に示す正面図。
【図５】供給路の構成を模式的に示す断面図。
【図６】供給路内を流れる冷却水の状態を示す模式図。
【図７】下側ウォータジャケット内の冷却水の流動態様を模式的に示す斜視図。
【図８】下側ウォータジャケット内の冷却水の流動態様を模式的に示す断面図。
【図９】突条の変形例を示す供給路の断面図。
【発明を実施するための形態】
【０００８】
シリンダヘッドの一実施形態について、図１〜図８を参照して説明する。なお、本実施形態は、直列４気筒の内燃機関のシリンダヘッドを例に説明する。
図１に示すように、内燃機関のシリンダブロック１０には、シリンダ１０Ａが形成されている。シリンダ１０Ａは、図１の奥行き方向に４つ並設されている。各シリンダ１０Ａには、ピストン１１が往復動可能に収容されている。シリンダブロック１０の上面には、ガスケット１２を介してシリンダヘッド２０が連結されている。シリンダヘッド２０の下面、シリンダ１０Ａの内面、及びピストン１１の上面によって燃焼室１３が構成されている。シリンダヘッド２０には、燃焼室１３にそれぞれ接続された吸気ポート２１及び排気ポート２２が形成されている。
【０００９】
吸気ポート２１は、各シリンダ１０Ａに対応して複数設けられている。吸気ポート２１は、各シリンダ１０Ａにおいて２つずつ配置され、各シリンダ１０Ａ毎に吸気ポート２１が対になっている。すなわち、本実施形態では、シリンダヘッド２０には、シリンダ１０Ａの配列方向に沿って８つの吸気ポート２１が形成されている。内燃機関には、各吸気ポート２１と燃焼室１３とを連通、遮断する吸気バルブ１４も設けられている。
【００１０】
排気ポート２２は、各シリンダ１０Ａに対応して複数設けられている。排気ポート２２は、各シリンダ１０Ａにおいて２つずつ配置され、各シリンダ１０Ａ毎に排気ポート２２が対になっている。すなわち、本実施形態では、シリンダヘッド２０には、シリンダ１０Ａの配列方向に沿って８つの排気ポート２２が形成されている。内燃機関には、各排気ポート２２と燃焼室１３とを連通、遮断する排気バルブ１５も設けられている。
【００１１】
内燃機関の吸気ポート２１には、図示しない燃料噴射弁から燃料が噴射される。噴射された燃料は、吸気と混ぜ合わされて燃焼室１３に導入される。シリンダヘッド２０には、燃焼室１３内に導入された燃料と吸気との混合気を燃焼させるための点火プラグ１６も設けられている。燃焼室１３内で燃焼した混合気は、排気として排気ポート２２へ排出される。
【００１２】
内燃機関には、該内燃機関を冷却するためのウォータジャケットが設けられている。ウォータジャケットは、シリンダブロック１０及びシリンダヘッド２０に形成されている。シリンダブロック１０に形成されているウォータジャケットをブロックウォータジャケット２５という。また、シリンダヘッド２０には、上下二段にウォータジャケットが形成されており、下側、すなわちシリンダブロック１０側に配置された方を下側ウォータジャケット３０といい、他方を上側ウォータジャケット９０という。内燃機関には、ウォータポンプ１００も設けられている。ウォータポンプ１００には冷却水通路１０１が連結されている。ウォータポンプ１００が駆動すると冷却水通路１０１を通じて冷却水が供給され、ブロックウォータジャケット２５、下側ウォータジャケット３０、及び上側ウォータジャケット９０を冷却水が流れる。
【００１３】
図２に示すように、ブロックウォータジャケット２５は、吸気側ジャケット２５Ａを有している。吸気側ジャケット２５Ａは、シリンダ１０Ａの吸気ポート２１側に配置されていて、シリンダ１０Ａの形状に沿って波状に形成されている。吸気側ジャケット２５Ａの一端には、排気側ジャケット２５Ｂが連結されている。排気側ジャケット２５Ｂは、シリンダ１０Ａの排気ポート２２側に配置されていて、シリンダ１０Ａの形状に沿って波状に形成されている。ブロックウォータジャケット２５は、複数のシリンダ１０Ａを囲むように形成されている。吸気側ジャケット２５Ａには、冷却水通路１０１が連結されている。
【００１４】
図１に示すように、ガスケット１２には、複数の貫通孔１２Ａが形成されている。複数の貫通孔１２Ａによって、ブロックウォータジャケット２５の吸気側ジャケット２５Ａ及び排気側ジャケット２５Ｂが複数箇所で下側ウォータジャケット３０と連通している。
【００１５】
図２に示すように、下側ウォータジャケット３０は、シリンダ１０Ａの配列方向に延びているデッキ通路４０を有している。デッキ通路４０は、点火プラグ１６の周囲を囲うように円環形状に形成された複数の環状部４１と、各環状部４１から上記配列方向の一端側に延びている第１通路４２と、各環状部４１から上記配列方向の他端側に延びている第２通路４３とからなる。隣接する環状部４１の間では、第１通路４２と第２通路４３とが連結されている。第１通路４２と第２通路４３とが連結している部分には、その連結部分の上端部に連通路９５が連結されている。また、デッキ通路４０における両端部であって、第１通路４２及び第２通路４３が連結していない部分では、第１通路４２及び第２通路４３のそれぞれに連通路９５が連結されている。このように、デッキ通路４０には、５つの連通路９５が連結されている。各連通路９５は上方に延びていて、上側ウォータジャケット９０に連結されている。これらの連通路９５によって、下側ウォータジャケット３０と上側ウォータジャケット９０とが連通している。
【００１６】
デッキ通路４０には、吸気ポート２１側に延びている吸気側通路５０が連結されている。吸気側通路５０は、デッキ通路４０の第１通路４２及び第２通路４３から吸気ポート２１側に延びている。吸気側通路５０は、第１通路４２に連結された第１湾曲部５１と、第２通路４３に連結された第２湾曲部５２とからなる。第１湾曲部５１及び第２湾曲部５２は、その先端側ほど互いに近接するように延びていて、シリンダヘッド２０に対になって配置されている各吸気ポート２１の側方を囲うように湾曲して延びている。隣り合うシリンダ１０Ａにおいて、一方のシリンダ１０Ａに対応して配置されている第１湾曲部５１と、他方のシリンダ１０Ａに対向して配置されている第２湾曲部５２は、デッキ通路４０側の端部が互いに連結されている。換言すれば、第１通路４２と第２通路４３とが連結している部分では、第１湾曲部５１と第２湾曲部５２とのデッキ通路４０側の端部が連結している。第１湾曲部５１と第２湾曲部５２の先端部は、ガスケット１２に形成されている貫通孔１２Ａを通じて、ブロックウォータジャケット２５の吸気側ジャケット２５Ａと連通している。
【００１７】
また、デッキ通路４０には、排気ポート２２側に延びている排気側通路６０も連結されている。排気側通路６０は、第１通路４２及び第２通路４３に連結されて排気ポート２２側に延びている傾斜部６１と、傾斜部６１の先端を連結している連結部６２とからなる。傾斜部６１は、一対の排気ポート２２の側方に延びていて、デッキ通路４０から離間するほど下方に位置するように傾斜して延びている。連結部６２は、シリンダ１０Ａの配列方向に水平に延びていて、図１に示すように、排気ポート２２の下方に配置されている。
【００１８】
図２に示すように、連結部６２には、シリンダ１０Ａの配列方向における一端部に流出部６３が連結されている。流出部６３は、その直径が連通路９５の直径よりも大きく、上方に延びて上側ウォータジャケット９０に連結されている。したがって、下側ウォータジャケット３０は、流出部６３を通じても上側ウォータジャケット９０と連通している。
【００１９】
上側ウォータジャケット９０は、排気側通路６０の上方に配置されており、シリンダ１０Ａの配列方向に延びている。図１に示すように、上側ウォータジャケット９０は、排気ポート２２の上方に配置されている。上側ウォータジャケット９０及び下側ウォータジャケット３０は、排気ポート２２を上下方向に挟んでいる。図２に示すように、上側ウォータジャケット９０には、シリンダ１０Ａの配列方向における一端部に、排出路９１が連結されている。排出路９１は、図示しないラジエータに繋がっている。
【００２０】
図２及び図３に示すように、下側ウォータジャケット３０には、供給路７０も設けられている。供給路７０は、その一端部がデッキ通路４０の環状部４１に連結されている。この一端部を供給路７０の下流側端部という。供給路７０は、排気ポート２２側（図３の左側）ほど下方に位置するように傾斜した状態で形成されている。すなわち、供給路７０は、下流側端部の反対側の上流側端部が、下流側端部よりも下方に配置されている。図２に示すように、供給路７０は、各シリンダ１０Ａ毎に設けられて互いに対になって配置されている排気ポート２２の間に配置されている。すなわち、供給路７０は、シリンダ１０Ａ毎に対となって隣接する排気ポート２２の間に配置されている。
【００２１】
図４に示すように、供給路７０は、断面四角形状に形成されている。すなわち、供給路７０は、下方に位置する下壁７１と、該下壁７１の周縁から立設された一対の側壁７２と、該一対の側壁７２の上端部を連結する上壁７４とを有する。供給路７０は、下壁７１、一対の側壁７２、及び上壁７４の一端部に連結された上流壁７３も有する。上流壁７３によって供給路７０の上流側端部は閉塞されている。
【００２２】
供給路７０の上流側端部には、第１導入路８０が連結されている。第１導入路８０は、供給路７０の下壁７１に連結されていて、下方に延びている。第１導入路８０の開口は、供給路７０の上壁７４を指向している。第１導入路８０は、ガスケット１２に形成されている貫通孔１２Ａを通じてブロックウォータジャケット２５の排気側ジャケット２５Ｂと連通している。
【００２３】
供給路７０の上流側端部には、第２導入路８１も連結されている。図４に示すように、第２導入路８１は、供給路７０の上流壁７３の中央部分に連結されている。図３に示すように、第２導入路８１は、供給路７０側ほど下方に位置するように傾斜している。そのため、第２導入路８１の開口は、供給路７０の下壁７１を指向している。
【００２４】
図５に示すように、供給路７０の一対の側壁７２には、その壁面から供給路７０内に突出した一対の突条７５が形成されている。一対の突条７５は、側壁７２において上下方向の中央部分に配置されている。そのため、供給路７０の上壁７４は突条７５よりも上側に配置されており、供給路７０の下壁７１は突条７５よりも下側に配置されている。図３に示すように、一対の突条７５は、供給路７０において、下流側端部から上流側端部の第１導入路８０が連結されている部分の手前まで連続して延びている。
【００２５】
図１に示すように、ウォータポンプ１００に連結されている冷却水通路１０１は二股に分岐していて、その分岐した一端部がブロックウォータジャケット２５の吸気側ジャケット２５Ａに連結されている一方で、分岐した他端部が下側ウォータジャケット３０の第２導入路８１に連結されている。
【００２６】
次にウォータジャケットにおける冷却水の流れについて説明する。
図２に示すように、冷却水通路１０１からブロックウォータジャケット２５に供給された冷却水は、吸気側ジャケット２５Ａ及び排気側ジャケット２５Ｂを順に流れる。冷却水がブロックウォータジャケット２５を流れることにより、シリンダブロック１０の熱が冷却水に伝えられ、シリンダブロック１０が冷却される。ブロックウォータジャケット２５を流れた冷却水は、ガスケット１２に形成されている貫通孔１２Ａを通じて下側ウォータジャケット３０に流れる。排気側ジャケット２５Ｂから貫通孔１２Ａを通じて下側ウォータジャケット３０に流れた冷却水は、第１導入路８０を通じて供給路７０に供給される。すなわち、第１導入路８０は、供給路７０の上流側端部に連結されており、シリンダブロック１０に形成されたブロックウォータジャケット２５から供給路７０に冷却水を導入する。
【００２７】
図６に白抜き矢印で示すように、排気側ジャケット２５Ｂ内では冷却水はシリンダ１０Ａの配列方向（図６の左右方向）に流れる。一方で、第１導入路８０内では、冷却水は上方に流れることとなる。そのため、排気側ジャケット２５Ｂから第１導入路８０への移行部分では、排気側ジャケット２５Ｂ内での流れの影響を受けて、排気側ジャケット２５Ｂの流れ方向前方側（図６の右側）に偏って冷却水が流れることとなる。供給路７０へもこの流れに沿って冷却水が流れるため、供給路７０の上流側端部では、図６に一点鎖線の矢印で示すように、第２導入路８１が連結されている中央部分から偏心した位置を冷却水が流れる。第１導入路８０の開口は供給路７０の上壁７４を指向しているため、図３に一点鎖線の矢印で示すように、第１導入路８０から供給された冷却水は、供給路７０の上壁７４に沿って突条７５よりも上側の上側領域に流入する。第１導入路８０から供給路７０への冷却水の供給は、上述したように排気側ジャケット２５Ｂの流れ方向前方（図３の手前側）に偏った流れとなることから、上側領域を流れる冷却水は、上壁７４から側方に流れて一方の側壁７２に沿って下方に流動する。そして、突条７５に達すると、該突条７５によってその流れが下方から他方の側壁７２側に指向され、該他方の側壁７２から上壁７４に向かって流れる。すなわち、図３及び図６に一点鎖線の矢印で示すように、上側領域内では、冷却水が螺旋状に流動する。
【００２８】
また、図３に二点鎖線の矢印で示すように、供給路７０には、第２導入路８１に導入された冷却水も供給される。第２導入路８１には、冷却水通路１０１を通じて冷却水が導入されており、この冷却水はシリンダブロック１０に形成されたブロックウォータジャケット２５を経由していない。すなわち、第２導入路８１は、供給路７０の上流側端部に連結されており、シリンダブロック１０に形成されたブロックウォータジャケット２５を経由せずに供給路７０に冷却水を導入する。第２導入路８１の開口は、供給路７０の下壁７１を指向しているため、第２導入路８１から供給された冷却水は、供給路７０の下壁７１に沿って突条７５よりも下側の下側領域に流入する。なお、第１導入路８０から供給路７０に導入された冷却水は、第２導入路８１が連結されている中央部分から偏心した位置を流れることから、第１導入路８０から導入された冷却水と、第２導入路８１から導入された冷却水とが干渉することが抑えられている。また、第２導入路８１から導入される冷却水の量は、第１導入路８０から導入される冷却水の量よりも多い。そのこともあって、上側領域を流れる冷却水は、一対の突条７５の間から下側領域に流入しにくい。
【００２９】
図７に示すように、供給路７０を流れる冷却水は、デッキ通路４０の環状部４１に流れる。この場合、図７に一点鎖線の矢印で示すように、供給路７０の上側領域を流れる冷却水は環状部４１の上方に流入し、図７に二点鎖線の矢印で示すように、供給路７０の下側領域を流れる冷却水は環状部４１の下方に流入する。
【００３０】
図８に示すように、環状部４１に流れた冷却水は、第１通路４２及び第２通路４３に分岐して流れる。デッキ通路４０には、その上方に連通路９５が接続されている。図８に一点鎖線の矢印で示すように、上側領域から環状部４１に流れた冷却水は、第１通路４２または第２通路４３の上方部分を流れるため、そのまま連通路９５に流入する。このように、供給路７０に連結された環状部４１と、第１通路４２及び第２通路４３とは、供給路７０と連通路９５とを繋ぐ導出路として機能している。連通路９５に流入した冷却水は上側ウォータジャケット９０に排出され、該上側ウォータジャケット９０内を流動する。上側ウォータジャケット９０内の冷却水は、図２に示すように排出路９１を通じて外部に排出される。なお、各連通路９５の流路面積は、上側領域を流れた冷却水の流入によって各連通路９５が満たされるように設定されている。
【００３１】
また、下側領域から環状部４１に流れた冷却水は、上述したように上側領域を流れた冷却水によって連通路９５が満たされることから、連通路９５へは流入しにくく、排気側通路６０へと流動し易い。そのため、図８に二点鎖線の矢印で示すように、下側領域から環状部４１に流れた冷却水は、デッキ通路４０から排気側通路６０へと流れ、該排気側通路６０に連結されている流出部６３まで流動する。そして、流出部６３から上側ウォータジャケット９０に流れて排出路９１へ排出される。
【００３２】
また、図２に示すように、ブロックウォータジャケット２５の吸気側ジャケット２５Ａから下側ウォータジャケット３０に供給された冷却水は、吸気側通路５０の第１湾曲部５１及び第２湾曲部５２を通ってデッキ通路４０に流入する。
【００３３】
吸気側通路５０からデッキ通路４０に流入した冷却水は、上述したように上側領域を流れた冷却水によって連通路９５が満たされることから、連通路９５へは流入しにくく、排気側通路６０へと流動し易い。そのため、図８に破線の矢印で示すように、吸気側通路５０からデッキ通路４０に流入した冷却水は、デッキ通路４０から排気側通路６０へと流れ、該排気側通路６０に連結されている流出部６３まで流動する。そして、流出部６３から上側ウォータジャケット９０に流れて排出路９１へ排出される。このように、下側ウォータジャケット３０及び上側ウォータジャケット９０を冷却水が流動することにより、シリンダヘッド２０の熱が冷却水に伝えられ、シリンダヘッド２０が冷却される。
【００３４】
本実施形態の作用効果について説明する。
（１）本実施形態では、下側ウォータジャケット３０の供給路７０において、突条７５よりも上側の上側領域にシリンダブロック１０のブロックウォータジャケット２５を経由した高温の冷却水が供給され、突条７５よりも下側の下側領域にシリンダヘッド２０のブロックウォータジャケット２５を経由しない低温の冷却水が供給される。これらの冷却水は突条７５によって互いに混ざり合うことが抑えられ、温度分布をある程度保った状態で供給路７０からデッキ通路４０に流れる。したがって、シリンダヘッド２０において高温となりやすい燃焼室１３側の部分、及び排気ポート２２の周囲には低温の冷却水が供給されることとなり、排気ポート２２や燃焼室１３の周囲を効果的に冷却することが可能になる。
【００３５】
（２）供給路７０の上側領域を流れる冷却水によって連通路９５を満たすようにしている。そのため、供給路７０の下側領域からデッキ通路４０に供給された低温の冷却水は、連通路９５を通じて上側ウォータジャケット９０に流れにくく、下側ウォータジャケット３０の排気側通路６０を流動してから上側ウォータジャケット９０に流れるようになる。そのため、下側ウォータジャケット３０の広範囲に低温の冷却水を供給することが可能になり、シリンダヘッド２０の燃焼室１３側の部分の冷却効率を向上させることができる。
【００３６】
（３）下側ウォータジャケット３０の吸気側通路５０には、ブロックウォータジャケット２５の吸気側ジャケット２５Ａから冷却水が供給される。吸気側ジャケット２５Ａを流れる冷却水は、排気側ジャケット２５Ｂに比してシリンダブロック１０から受け取る熱量が少ないことから、排気側ジャケット２５Ｂを流れる冷却水に比して温度が低い。そして、下側ウォータジャケット３０では、吸気側ジャケット２５Ａから供給された冷却水を、排気側通路６０にも流動させてから上側ウォータジャケット９０に排出するようにしている。そのため、下側ウォータジャケット３０内を流動する冷却水の温度を低くして、シリンダヘッド２０の燃焼室１３側の部分の好適な冷却が可能になる。
【００３７】
上記実施形態は以下のように変更して実施することができる。
・供給路７０に形成される突条７５の構成は、上記実施形態のものに限らない。例えば、一対の側壁７２のうち、一方のみに突条７５を設けることも可能である。また、図９に示すように、供給路７０の幅を中心部分ほど狭くするように突条９０５を設けることも可能である。また、供給路７０の断面を上側領域と下側領域とで区画するように一方の側壁７２から他方の側壁７２まで連続して延びる突条を形成してもよい。また、突条７５，９０５を供給路の７０の下流側端部から上流側端部の第１導入路８０が連結されている部分の手前まで連続して形成するのではなく、その間の一部のみに形成してもよいし、下流側端部から上流側端部まで断続的に形成してもよい。
【００３８】
・供給路７０の断面は四角形状に限らず、例えば円形状であってもよい。断面を円形状にした場合は、供給路７０において、突条７５が形成されている側壁から上側の部分を上壁７４とし、上記側壁から下側の部分を下壁とすればよい。
【００３９】
・デッキ通路４０の第１通路４２及び第２通路４３に連通路９５を連結した例を示したが、連通路９５は環状部４１に連結されていてもよい。この場合には、環状部４１が供給路７０と連通路９５とを繋ぐ導出路として機能する。
【００４０】
・第２導入路８１から供給路７０に導入される冷却水の量は、第１導入路８０から供給路７０に導入される冷却水の量よりも少なくてもよいし、第１導入路８０から供給路７０に導入される冷却水の量と同じでもよい。
【００４１】
・各連通路９５の流路面積を、上側領域を流れた冷却水の流入によって各連通路９５が満たされるように設定したが、各連通路９５の流路面積の設定態様はこうしたものに限られない。例えば、上側領域を流れた冷却水の流入量よりも各連通路９５の容量が大きくなるように連通路９５の流路面積を設定してもよい。この場合であっても、上側領域を流れた温度の高い冷却水は上方へと流れ易いこともあり、連通路９５を通じて上側ウォータジャケット９０へ排出されやすい。そして、下側領域を流れた冷却水の一部は連通路９５を通じて上側ウォータジャケット９０へと流れる一方で、その他は排気側通路６０へと流れる。そのため、シリンダヘッド２０において高温となりやすい燃焼室１３側の部分に低温の冷却水が供給されることとなり、上述した（１）と同様の作用効果を得ることはできる。
【００４２】
・冷却水通路１０１に連結された第２導入路８１をそれぞれ供給路７０に連結した構成を示した。こうした構成に代えて、例えば冷却水通路１０１に連結された第２導入路を備え、該第２導入路から分岐した複数の分岐路をそれぞれ供給路７０に連結するといった構成を採用することも可能である。こうした構成であっても、シリンダブロック１０に形成されたブロックウォータジャケット２５を経由せずに供給路７０に冷却水を導入することができる。
【００４３】
・シリンダヘッド２０を直列４気筒の内燃機関に適用した例を示したが、これに限らない。直列６気筒や、Ｖ型の内燃機関などに用いられるシリンダヘッドに上記実施形態と同様の構成を提供することも可能である。
【符号の説明】
【００４４】
１０…シリンダブロック、１０Ａ…シリンダ、１１…ピストン、１２…ガスケット、１２Ａ…貫通孔、１３…燃焼室、１４…吸気バルブ、１５…排気バルブ、１６…点火プラグ、２０…シリンダヘッド、２１…吸気ポート、２２…排気ポート、２５…ブロックウォータジャケット、２５Ａ…吸気側ジャケット、２５Ｂ…排気側ジャケット、３０…下側ウォータジャケット、４０…デッキ通路、４１…環状部、４２…第１通路、４３…第２通路、５０…吸気側通路、５１…第１湾曲部、５２…第２湾曲部、６０…排気側通路、６１…傾斜部、６２…連結部、６３…流出部、７０…供給路、７１…下壁、７２…側壁、７３…上流壁、７４…上壁、７５，９０５…突条、８０…第１導入路、８１…第２導入路、９０…上側ウォータジャケット、９１…排出路、９５…連通路、１００…ウォータポンプ、１０１…冷却水通路。
【図１】
2018080679.tif 000003
【図２】
2018080679.tif 000004
【図３】
2018080679.tif 000005
【図４】
2018080679.tif 000006
【図５】
2018080679.tif 000007
【図６】
2018080679.tif 000008
【図７】
2018080679.tif 000009
【図８】
2018080679.tif 000010
【図９】
2018080679.tif 000011